(57)【要約】【課題】従来公知の軸組パネル工法の長所を活かしつつ、内装面も一挙に仕上げることができる新規な家屋構築用軸パネル構造、そのための軸組パネル工法、および木質パネルの提供。【解決手段】桟木枠の枠面に予め化粧板、特に木質化粧板を固定したパネルの化粧板端部を、軸の側面に形成した溝（柱の側面に形成した凹溝または横架材の側面に形成した板掛り溝など）内に収容する。【選択図】図１
2004197329.tif 000002
【特許請求の範囲】
【請求項１】
矩形の桟木枠と、該桟木枠の少なくとも片面に固定された化粧面をもつ化粧板と、該桟木枠の残る枠面に固定された化粧板または他の板材と、これら桟木枠、化粧板および場合によって他の板材で形成される空間内に収容された断熱材とを含むパネル、および
側縁に所定幅残して長手に連続して形成した凹溝または板掛り溝を有する軸を構築要素として含み、
前記溝同士が対向配置された前記軸の溝のない側面と、該側面より前記所定幅の奥行きで前記溝内に収容されたパネルの化粧面とで構築された室内内装面をもつ家屋構築用軸パネル構造。
【請求項２】
前記パネルが、前記桟木枠の矩形枠面より幅広で、該桟木枠の両側方にそれぞれ突出した化粧板の側辺部分をもつ壁パネルであり、
かつ前記軸として凹溝を有する柱を含み、
前記パネルの幅よりも逃げ分だけ広く対向配置された該柱の凹溝内に、前記化粧板の側辺部分があぜり羽目された前記パネルの化粧面をそのまま内装仕上げ面とする室内側真壁構造の壁を構築するための請求項１に記載の軸パネル構造。
【請求項３】
前記壁パネルの化粧板が、前記桟木枠と合致する底辺と、桟木枠より突出した上辺部分を有し、かつ前記軸として底面に凹状上げ溝を有する横架材をさらに含み、該化粧板の上辺部分が前記横架材の上げ溝に遊挿・挟持されることにより、前記室内側真壁構造の上部が構成される請求項２に記載の軸パネル構造。
【請求項４】
前記壁パネルが、前記桟木枠より突出する前記化粧板の側辺部分および上辺部分裏面に補強添木を有する請求項２または３に記載の軸パネル構造。
【請求項５】
前記桟木枠の片枠面が化粧板、残る枠面が他の板材である壁パネルであって、他の板材側の桟木枠の外面は、前記柱の外壁面と同一平面をなす請求項２ないし４のいずれかに記載の軸パネル構造。
【請求項６】
前記壁パネルが前記桟木枠の少なくとも縦枠内側に第二の桟木をもつ二重構造であって、前記他の板材が第二の桟木に固定されている請求項５に記載の軸パネル構造。
【請求項７】
前記他の板材が耐力合板である請求項５または６に記載の軸パネル構造。
【請求項８】
前記パネルが、前記桟木枠の両面に化粧板を有する室内間仕切り用壁パネルである請求項２ないし４のいずれかに記載の軸パネル構造。
【請求項９】
前記パネルが、前記矩形の桟木枠の片面に同辺の化粧板をもつ天井パネルであり、かつ前記軸が室内側軸面から所定高さ残す側面に、長手にしゃくった板掛り溝をもつ横架材であり、
前記パネルの四辺よりも逃げ分だけ広く対向配置された前記横架材の板掛り溝の枠内に、掛け置かれた前記パネルの化粧面をそのまま内装仕上げ面とする天井を構築するための請求項１に記載の軸パネル構造。
【請求項１０】
請求項２ないし８のいずれかに記載の軸パネル構造で構築された壁と、請求項９に記載の軸パネル構造で構築された天井とを含む家屋構築用軸パネル構造。
【請求項１１】
側縁に所定幅残して床面から天井端まで長手に連続して形成された凹溝を有する各柱を、各凹溝の底面同士の距離が前記パネルの幅よりも逃げ分だけ広くなるように対向配置させて立設し、該柱の上方から、予め作製された請求項１ないし８および１１ないし１２のいずれかに規定される壁パネルを吊下げ、該パネルの前記桟木枠から突出する両側辺部分をそれぞれ、前記柱の凹溝内に遊挿した後、該柱に固定し、壁パネルの上辺部分および柱のほぞを横架材の上げ溝およびほぞ穴に収めて壁を構築し、
次いで、前記横架材および他の横架材を、各板掛り溝の互いの奥行きまでの距離が前記パネルの幅よりも逃げ分だけ広くなるように対向配置させて開口枠を形成し、該開口枠内に請求項９に規定される天井パネルを載置して天井を構築する請求項１０に記載の軸パネル構造を構築するための軸組パネル工法。
【請求項１２】
請求項１ないし１１のいずれかに記載の軸パネル構造を形成するためのパネルであって、前記化粧板が木質板である木質パネル。
【請求項１３】
前記木質板が箱目地下見板張りからなる請求項１２に記載の木質パネル。
【発明の詳細な説明】
【０００１】
【発明の属する技術分野】
本発明は、特に木造家屋のための家屋構築用軸パネル構造、軸組パネル工法およびそのための木質パネルに関する。
【０００２】
【従来の技術】
木造家屋の建造工法は、大きく分けて、柱および横架材（梁、桁）等の軸で枠組みをし、水平力を筋違イ（斜め材）で支え耐力構造を構築する在来の軸組工法と、耐力合板（耐力面材、構造合板などとも称する）を有するパネルを用いて壁面および床面を構築するパネル工法（２×４工法とも称する）が知られている。これら各工法それぞれの長所、短所はよく知られているが、たとえば軸組工法は、上記筋違イの組込み、下地壁構築、内装仕上げなどの煩雑な作業を含み、施工期間が長く、熟練を必要とするなどの課題がある。パネル工法は、軸組工法に対して工期が短く、格別熟練した技術を必要としないなどの利点があるが、質感において、パネル工法による所謂プレハブ（prefab）住宅よりも、柱（軸組）を使用した木造家屋に対する指向は根強い。
【０００３】
このため昨今、軸組工法と、パネル工法の両者の利点を活かすべく、予め作製されたパネルを、軸組に嵌込む軸パネル工法が提案されている。この軸パネル工法では、パネルを予め設計し、工場で作製することができるため、規格に沿ったパネルを生産性よく製造することができるとともに、建築現場では、このパネルを縦横に枠組みした軸内に嵌込めば、耐力構造を構築でき、筋違イ組込みなどの手間を省略することができるため、在来軸組工法に比べれば作業が簡略され、施工期間を短縮することができる。このような耐力パネルを使用する軸パネル工法または軸組パネル構造が、たとえば特許文献１〜３などに提案されている。
【０００４】
また軸パネル工法または軸組パネル構造のための断熱効果、気密性、結露防止などの種々改良を加えたパネルも多く提案されており、たとえば断熱材を含ませた耐力パネル（特許文献４、５など参照）、予め軸材をパネル枠材として組込んだパネル（特許文献６、７など参照）、間仕切りの下地壁を構築するためのパネル（特許文献８）、内装板を有する耐力パネル（特許文献９）などが提案されている。さらに角柱木材を並列させ、スクリューネジで貫通連結した木質パネルも提案されている（特許文献１０）。
【０００５】
【特許文献１】
登録実用新案第３０２５２８４号公報
【特許文献２】
特開平９−１４４１６３号公報
【特許文献３】
特開２０００−２２６８９６号公報
【特許文献４】
特開平９−２３５７９６号公報
【特許文献５】
特開平１０−８８６８７号公報
【特許文献６】
特開平１０−３７３５５号公報
【特許文献７】
特開２００１−３１７１５６号公報
【特許文献８】
特開２０００−１５４６０５号公報
【特許文献９】
特開平１１−２９３８４２号公報
【特許文献１０】
特開平１０−２９９１３２号公報
【０００６】
【発明が解決しようとする課題】
上記したように軸パネル工法は、指向の根強い軸組を含む家屋を短期間で建築しうる利点があり、そのためのパネルも多種提案されている。そしてこれらパネルの使用により耐力壁熱の構築は可能であるが、構築した耐力壁または下地壁は依然、壁面仕上げを必要とする。特に室内壁面は、軸に取付けたパネルの表面にクロス張りしたり、化粧板を貼付けたりして仕上げる必要があるが、この内装仕上げは、手間を要する作業であって、特に耐力合板の上に仕上げを施す場合にはクロス張りに先だって下塗り処理などの必要があり、施工日数もかかる。
【０００７】
また上記特許文献９、１０などに開示されるような内装板を有するパネルまたは木質パネルを、柱間の開口部にパネルの両端部を収める軸パネル構造では、パネルの内装面を室内内装面とすることが可能であるが、このようなパネルを用いても、内装板と軸（柱）との隙間を仕上げ処理する必要があり、壁全体の構築でみれば、在来軸組工法に比して短縮されてはいるが、依然仕上げ施工の手間と日数を要するのが実状である。またパネルの枠から内装板を幅広に突出させて内装材で柱を覆う構造も考えられるが、上記と同様に内装材端部同士の隙間を処理する必要がある。特に天然の木質板材は、反り、寸法変化などにより、その端部で経時的な狂いを生じやすく、このような方法ではパネルの内装材として使用することが困難である。
【０００８】
本発明は、上記のような木造家屋建築の情況に鑑みてなされたものであり、従来公知の軸組パネル工法の長所を活かしつつ、内装面も一挙に仕上げることができる新規な家屋構築用軸パネル構造、そのための軸組パネル工法、および木質パネルを提供することを目的としている。
【０００９】
【課題を解決するための手段】
本発明では、桟木枠の枠面に予め化粧板を固定したパネルの化粧板端部そのものを、軸の側面に形成した溝（柱の側面に形成した凹溝または横架材の側面に形成した板掛り溝など）内に収容することにより上記のような課題を解決している。これは本発明において、上記溝の幅を、そこに収容される板材の幅に逃げ分を加えた幅をもって形成し、さらに対向配置される軸同士の溝間距離が、パネルの化粧板幅に逃げ分を加えた距離となるように各軸を立設することにより、反り、経時的な寸法変化のある木質材であっても化粧板とすることできるためである。この構造により、天然の木質内装面、特に木質板材からなる化粧面をもつ壁および／または天井を構築することができる。また箱目地下見板張りなどの複数の板材から構成される木質化粧面であれば、端板に近い汎用の材料で、安全面、ぬくもり感などの木質そのもののよさに加えて、意匠的にも優れた内装を達成することができる。さらに巨木原料を必要としないため環境問題を生起せず、木材産業にも貢献することができる。
【００１０】
またこのような本発明によれば、建築現場に組まれた軸にパネルを組込むと同時にそのままで内装が完了する真壁構造の内壁、さらには同様表面の天井面を一挙に構築することができ、施工期間を短縮することができる。本発明のように、枠組みした横架材の板掛り溝にパネルを落し込む方法であれば、床面と拘りなく天井の施工ができるため、従来の方法のようにすでに仕上った床材上で作業するための床面養生を必要とせず、また床面を傷つけることがない。天井施工も簡素化され、施工日数も極めて短縮される。
【００１１】
すなわち本発明は、矩形の桟木枠と、該桟木枠の少なくとも片面に固定された化粧面をもつ化粧板と、該桟木枠の残る枠面に固定された化粧板または他の板材と、これら桟木枠、化粧板および場合によって他の板材で形成される空間内に収容された断熱材とを含むパネル、および側縁に所定幅残して長手に連続して形成した凹溝または板掛り溝を有する軸を構築要素として含み、
上記溝同士が対向配置された上記軸の溝のない側面と、該側面より上記所定幅の奥行きで上記溝内に収容されたパネルの化粧面とで構築された室内内装面をもつ家屋構築用軸パネル構造を提供する。
【００１２】
上記において、壁構築用軸パネル構造では、
上記パネルが、上記桟木枠の矩形枠面より幅広で、桟木枠の両側方にそれぞれ突出した化粧板の側辺部分をもつ壁パネルであり、かつ上記軸として凹溝を有する柱を含み、
パネルの幅よりも逃げ分だけ広く対向配置された柱の凹溝内に、化粧板の側辺部分があぜり羽目されたパネルの化粧面をそのまま内装仕上げ面とする室内側真壁構造の壁を構築することができる。
【００１３】
上記壁構築用軸パネル構造において、壁パネルの化粧板は、桟木枠と合致する底辺と、桟木枠より突出した上辺部分を有し、かつ上記軸として底面に凹状上げ溝を有する横架材をさらに含み、該化粧板の上辺部分が上記横架材の上げ溝に遊挿・挟持されることにより、上記室内側真壁構造の上部が構成される。
【００１４】
また上記壁パネルは、上記桟木枠より突出する化粧板の側辺部分および上辺部分裏面に補強添木を有する態様が好ましい。
上記壁パネルの好ましい態様例として、
上記桟木枠の片枠面が化粧板、残る枠面が他の板材である壁パネルであって、他の板材側の桟木枠の外面が柱の外壁面と同一平面をなす壁パネルが挙げられる。
また上記桟木枠の少なくとも縦枠内側に第二の桟木をもつ二重構造であって、他の板材が第二の桟木に固定されている壁パネルが挙げられる。
上記壁パネルにおける他の板材は、耐力合板であることが望ましい。
【００１５】
また壁パネルの態様例としては、上記化粧板の上記桟木枠の両面に化粧板を有する室内間仕切り用パネルが挙げられる。
【００１６】
本発明において、天井構築用軸パネル構造では、
上記パネルが、上記矩形の桟木枠の片面に同辺の化粧板をもつ天井パネルであり、かつ上記軸が室内側軸面から所定高さ残す側面に、長手にしゃくった板掛り溝をもつ横架材であり、
上記パネルの四辺よりも逃げ分だけ広く対向配置された上記横架材の板掛り溝の枠内に、掛け置かれた上記パネルの化粧面をそのまま内装仕上げ面とする天井を構築することができる。
【００１７】
本発明に係る家屋構築用軸パネル構造は、このような天井構築軸パネル構造および上記壁構築軸パネル構造の両方を含むことができる。
【００１８】
本発明では、側縁に所定幅残して床面から天井端まで長手に連続して形成された凹溝を有する各柱を、各凹溝の底面同士の距離が上記パネルの幅よりも逃げ分だけ広くなるように対向配置させて立設し、該柱の上方から、予め作製された上記のいずれかに規定される壁パネルを吊下げ、該パネルの上記桟木枠から突出する両側辺部をそれぞれ、上記柱の凹溝内に遊挿した後、該柱に固定し、壁パネルの上辺部分および柱のほぞを横架材の上げ溝およびほぞ穴に収めて壁を構築し、次いで、上記横架材および他の横架材を、各板掛り溝の互いの奥行きまでの距離が上記パネルの幅よりも逃げ分だけ広くなるように対向配置させて開口枠を形成し、該開口枠内に上記に規定される天井パネルを載置して天井を構築する上記軸パネル構造を構築するための軸組パネル工法も提供される。
【００１９】
本発明では、さらに上記のような軸パネル構造を形成するためのパネルであって、上記化粧板が木質化粧面をもつ木質パネルも提供する。
この木質化粧面は、箱目地下見板張りなどの端材の継ぎ合わせによるものが好ましい。
【００２０】
【発明の実施の形態】
以下、本発明の態様例を示す図を参照しながら本発明の家屋構築用軸パネル構造、軸組パネル工法および木質パネルを具体的に説明する。
図１は、本発明の家屋構築用軸パネル構造による壁および天井の室内面を部分的に示す斜視図である。図２は、図１の壁部分の軸パネル構造を説明するための室内側からみた斜視図である。図３は、内外壁および室内間仕切り壁を含む壁部分の軸パネル構造を説明するための軸に直角な部分断面図である。図４は、本発明の好ましい態様例の壁パネルの斜視図であり、図５は、図４中、Ｖ−Ｖ線に沿う断面図である。図６は、本発明に係る天井の一部を室内側からみた正面図であり、図７は、図６中、 VII−VII 線に沿う天井の断面図である。図８は、本発明に係る軸パネル構造の桁を含む壁および天井部分を示す断面図である。各図中、同一符号は同一または相当部分を示す。
【００２１】
本発明において、軸とは、建築施工で通常使用される柱および桁、梁などの横架材を含む意味で使用され、このうち立設する軸（管柱、隅柱など）を柱と表記する。
主に図１〜３に示す柱１１の側面１１１の凹溝内に収容された壁パネル１０の化粧板１０１と、主に図６〜８に示す桁２１および梁２２の板掛り溝２３に収容された天井パネル２０の化粧板２０１とにより、図１に示すような化粧板１０１と柱側面１１１および桁側面２１１を室内内装面とする壁１および化粧板２０１と桁側面２１１および梁側面２２１とから天井２が構成される。
【００２２】
まず本発明の軸パネル構造を構成するパネルについて、図４および図５に示す壁パネルを参照して説明する。
本発明の壁パネル１０は、矩形の桟木枠１０２の少なくとも片面に化粧面をもつ化粧板１０１が固定されている。
壁パネル１０の化粧板１０１は、桟木枠１０２の矩形枠面より若干幅広で、桟木枠１０２の両側方にそれぞれ突出した側辺部分１０１ａをもつ。また化粧板１０１は、通常、桟木枠１０２より若干長尺であり、桟木枠１０２と底辺同士を合致させ、桟木枠１０２から上辺部分１０１ｂを突出させて固定されている。
本発明では、これら側辺部分１０１ａおよび上辺部分１０１ｂを桟木枠１０２から突出させる長さは、それぞれ５〜１５ｍｍ程度、さらには９〜１２ｍｍ程度であることが望ましく、通常約１０ｍｍである。
【００２３】
桟木枠１０２の残る枠面には、他の板材（裏板）１０３が固定される。本発明の壁パネル１０の裏板１０３は、耐力合板であることが望ましい。
また壁パネル１０の桟木枠１０２、化粧板１０１および耐力合板１０３とで形成される空間内には断熱材１０４が収容されている。
【００２４】
壁パネル１０では、桟木枠１０２より突出する化粧板の側辺部分１０１ａおよび上辺部分１０１ｂ裏面に補強添木１０６を有することが望ましい。
壁パネル１０としては、桟木枠１０２の少なくとも縦枠内側に第二の桟木１０５をもつ二重構造であり、さらに桟木枠１０２内に間柱１０７をもつ構造が好適であり、耐力合板１０３を第二の桟木１０５に固定することができる。この場合には、通常間柱１０７を固定する骨材１０８をパネル内部に有する。
【００２５】
桟木枠１０２の外面は柱１１（図３参照）および梁２１（図８参照）の外壁面と同一平面をなす態様とすれば、板材などの覆装により外壁面（図示せず）を容易に仕上げることができる。
【００２６】
桟木枠１０２の両面に化粧板１０１を固定して、室内間仕切り用壁パネル１０（図３参照）とすることもできる。室内間仕切りの場合には、壁パネル１０は、化粧板の側辺部分１０１ａおよび上辺部分１０１ｂ裏面の補強添木１０６は、外壁ほどの耐力が求められない場合が多いのでなくてもよく、必要に応じて付加すればよい。
【００２７】
また天井パネル２０は、図７に示すように矩形の桟木枠２０２の片面に同辺の化粧板２０１をもち、残る枠面には裏板として合板２０３が固定された、箱状体である。
内部には、断熱材２０４が収容され、好ましくは骨材２０５を有する。天井パネル２０の裏板２０３に使用される合板は、湿気を遮断できればよく、壁用パネル１０ほどの耐力が要求されないので、必ずしも耐力合板である必要はないが、たとえば火うち材を省略して、桁と梁の直角軸組をすることが可能であれば、耐力合板を有する態様は好ましい。
【００２８】
本発明では、特に上記化粧板１０１または２０１を木質板で形成することができる。
木質板は、高価な一枚板でなくてもよく、短冊状などの杉、檜などの端材の組み合わせで全体板材としたものを使用すれば、汎用材料であり、安価で意匠性の高い内装面が得られる。端材の矧ぎ合せ方法は特に制限されず、あいじゃくりはぎ、さねはぎ、そぎはぎ、だぼはぎ、やといざねはぎ、矢はずはぎ、添え付けはぎ、ちぎりつぎなどの種々の方法で端材同士を端合わせて化粧板とすることができる。図４には、好ましい態様例として、あいじゃくりした端材からなる箱目地下見板張りの化粧面をもつ化粧板を示す。
後述するような天井パネルも含め、軸パネル工法に使用するためのこのような天然木質化粧板を有する木質パネルは知られておらず、したがってこの木質パネルも本発明として提供する。
【００２９】
本発明において、パネルは工場で予め作製することができ、その大きさは間取り、意匠、間の種類などに応じて適宜に設計することができるが、一例として、壁パネルは、約半間幅×１．５間近い高さとして、図１に示すように桁まで達する連続した大きさにすることができる。この場合の壁パネル１０は、その両側辺部１０１ａが柱１１の凹溝１１２内に収容される点も考慮して、京間用は約８２７ｍｍ、中間間用は約８７０ｍｍ、本間用は約９０２ｍｍの幅（化粧板１０１）で作製される。壁パネル１０の高さは、天井高さに応じて適宜に設定されるが、具体的には２４００〜２７００ｍｍ程度である。また壁パネル１０の厚みは、その桟木枠１０２の外面が柱１１の外面と同一平面とするため、柱１１が１０５角材の場合には、その仕上げ実寸が１０３ｍｍ程度となることを見込み、８３〜８８ｍｍ程度で作製される。
また天井パネル２０の一例として、約半間幅×１間長さの大きさとして、６畳当り６枚に収めることができる。天井パネル２０の厚みは、通常６０〜７０ｍｍ程度である。
【００３０】
本発明に係る軸パネル構造は、上記のような壁パネルまたは天井パネルを用いて、壁または天井のいずれかだけを構築してもよく、両方を構築してもよい。
まず柱１１の側縁から所定幅１１１ａ残して床面から天井端まで長手に連続して形成された凹溝１１２を有する各柱１１を立設する。
本発明において、上記柱１１の凹溝１１２は、側縁から所定幅１１１ａ、通常１５〜２０ｍｍ程度残して形成される。これにより、本発明では、真壁構造の壁（内壁）が構築される。
柱１１の凹溝１１２は、壁パネル１０の化粧板１０１の板幅と補強添木１０６の厚みとの合計長さに逃げ分を付して形成される。なお、間仕切り壁用パネルなどの補強添木１０６をもたない場合には、化粧板１０１の板幅に逃げ分１１２ｂを付して形成される。凹溝１１２のパネル１０の裏面を収容する部分には、柱側面で拡径するテーパを持たせてもよい（図示せず）。また間仕切り用壁パネルを収容する柱１１は、パネル両面の側辺部分１０１ａを収容するため、凹溝１１２を２つ有する。
【００３１】
また各柱１１は、凹溝１１２の底面同士の距離が壁パネル１０の幅よりも逃げ分１１２ａだけ広くなるように対向配置させて立設する。対向する凹溝１１２間に上記壁パネル１０をあぜり羽目する。すなわち柱１１間の上方から、予め作製された上記壁パネル１０を吊下げ、壁パネル１０の桟木枠１０２から突出する両側辺部分１０１ａをそれぞれ、柱の凹溝１１２内に遊挿した後、桟木１０２から釘などで柱１１に固定する。
壁１の上辺部分は、壁パネル１０の上辺１０１ｂを横架材（桁２１）の上げ溝２１２に、柱１１のほぞをほぞ穴（図示せず）に収めて構築する。
【００３２】
柱は１０５角材などの汎用柱でもよいが、これに限定されるものではない。
このような壁１において、柱１１の途中に適宜に横架材を掛けて、短めの壁パネル１０を用いるなどして窓、天袋（図示せず）などを形成することができる。壁パネル１０の底面は、床面３に載置し、床面３との隙間は、ぞうきんずり４などで塞ぐことができる。
【００３３】
天井２は、天井パネル２０および板掛り溝２３をしゃくった横架材とで構築する。前記桁２１および他の横架材（梁）２２で格子枠を、互いの板掛り溝２３の奥行きまでの距離が前記パネルの幅よりも逃げ分だけ広くなるように対向配置させて格子組みし、開口枠を形成し、開口枠内に天井パネル２０を載置する。天井パネルと横架材２１または２２とは、目板２１０などで留めることができる。
上記のように軸の枠組内に収容した壁パネルおよび天井パネルは、釘などにより適宜に固定することができる。なお上記各図中、各部材を連結・固定する釘などの図示を省略している場合がある。
【００３４】
なお上記においては、本発明の特に好ましい態様例を示す図を参照して本発明に係る軸パネル構造、そのための軸組パネル工法および木質パネルについて説明したが、これら図は本発明を説明するためのものであって、本発明全体の範囲がこれにより限定されるものではなく、本発明の効果を損なわない範囲であれば当業者が適宜になし得る範囲で修正・変更を加えることもできる。たとえば化粧（意匠）面、木質種の異なるパネルを組み合わせて壁、天井を構築してもよい。
【発明の効果】
上記のように軸の特定位置に、パネルを逃げ分をもって遊挿させる溝をもたせることにより、化粧面をもつパネルを使用することができ、これによりパネルを組込み、軸に固定することにより、化粧面の端部が露出せず、また部材間の隙間も生じず、そのまま内装面を仕上げることが可能となった。これにより内装、特に天井の施工工期を短縮することができる。また特に木質化粧面は、クロス張りなどのように組込み施工時に傷がつきにくいので、軸組みした枠内にクレーンで落し込んで、そのまま内装面とすることができる。
軸に形成する溝の位置と、特定の化粧面をもつパネルとの組合わせによって、従来公知の軸パネル構造では達成できなかった軸組パネル工法による内装面の仕上げを達成できる効果は、現場における効果および木材利用上の効果が甚大である。
【図面の簡単な説明】
【図１】本発明の軸パネル構造による壁および天井の室内面を部分的に示す斜視図である。
【図２】図１の壁部分の軸パネル構造を説明するための斜視図である。
【図３】壁部分の軸パネル構造を説明するための部分横断面図である。
【図４】本発明に係る壁パネルの好ましい一実施形態を示す斜視図である。
【図５】図４中、Ｖ−Ｖ線に沿う壁パネルの断面図である。
【図６】本発明に係る天井の一部を室内側みた正面図である。
【図７】図６中、 VII−VII 線に沿う天井の断面図である。
【図８】本発明に係る軸パネル構造の桁を含む壁および天井部分を示す断面図である。
【符号の説明】
１…壁
１０…壁パネル
１０１…化粧板
１０１ａ…側辺部
１０１ｂ…上辺部
１０２…桟木枠
１０３…耐力合板
１０４…断熱材
１０５…第二の桟木
１０６…補強添え木
１０７…間柱
１０８…骨材
１１…柱
１１１…側面
１１１ａ…溝を有する側面
１１２…凹溝
１１２ａ…逃げ分
１１２ｂ…逃げ分
２…天井
２０…天井パネル
２０１…化粧板
２０２…桟木枠
２０３…合板（裏板）
２０４…断熱材
２０５…骨材
２１…桁
２１０…目板
２１１…桁側面
２２１…梁側面
２３…板掛り溝（しゃくり）
３…床
４…ぞうきんずり
【図１】
2004197329.tif 000003
【図２】
2004197329.tif 000004
【図３】
2004197329.tif 000005
【図４】
2004197329.tif 000006
【図５】
2004197329.tif 000007
【図６】
2004197329.tif 000008
【図７】
2004197329.tif 000009
【図８】
2004197329.tif 000010